(57)【要約】【課題】  ビルの屋上、その他適当な場所に植物を生育させる為、ビルに大きな負担がかからず、又施工が簡単な植栽地盤を形成する繊維構造体の提供。【解決手段】  編物、織物、又は不織布で構成される筒状生地２に培養土１を充填して繊維構造体とし、これを渦巻き状に捲いたり、ジグザグ状として植栽地盤を形成し、穴３を開けて植物４の苗を植付ける。【選択図】    図１ 
2005110590.tif 000002
【特許請求の範囲】
【請求項１】
ビルの屋上、その他適当な場所に植物を生育させる為の植栽地盤を形成する繊維構造体であって、編物、織物、又は不織布で構成される袋状生地に培養土を充填したことを特徴とする繊維構造体。
【請求項２】
ビルの屋上、その他適当な場所に植物を生育させる為の植栽地盤を形成する繊維構造体であって、編物、織物、又は不織布で構成される筒状生地に培養土を充填したことを特徴とする繊維構造体。
【請求項３】
上記培養土に植物の種子を混合した請求項１、又は請求項２記載の繊維構造体。
【請求項４】
ビルの屋上、その他適当な場所に植物を生育させる為の植栽地盤を形成する繊維構造体を作るに際して筒状生地に培養土を充填する方法において、編物、織物、又は不織布から成る袋状生地を筒型アダプターに取付け、そして筒状生地の先端を紐で結んで閉じ、上記筒型アダプターの上端口から培養土を入れ、筒状生地の先端を引き抜くと共に培養土を該筒状生地に充填することを特徴とする培養土の充填方法。
【請求項５】
ビルの屋上、その他適当な場所に植物を生育させる為の植栽地盤を形成する繊維構造体を作るに際して筒状生地に培養土を充填する装置において、培養土を入れるホッパーを脚にて支持し、ホッパーの下端には筒型アダプターを取付け、編物、織物、又は不織布から成る袋状生地を筒型アダプターに取付けることが出来、上記ホッパーに入れた培養土を筒型アダプターを流れ落ちて筒状生地に充填することを特徴とする培養土の充填装置。
【発明の詳細な説明】
【技術分野】
【０００１】
本発明は主として建物の屋上等を緑化する為の緑化システムであり、例えば筒状の生地に培養土を入れて植物の栽培を可能とする技術に関するものである。
【背景技術】
【０００２】
建物の屋上を緑化するには、植物の生育可能な地盤を造成することが必要である。従来の工法では防水層の上に排水層を設け、その上に培養土を敷き込み栽培する方法が一般的である。又、数多くのプランタンを配列して栽培する方法も採られている。しかし、この方法では建物にかなりの荷重がかかり、建築時に屋上緑化に耐えられる構造として設計されていない場合には不可能なことが多い。そして、乾燥した培養土が風によって周囲に飛散して環境上の問題も発生する。
【０００３】
一方、従来の緑化工法では多額の費用がかかると共に、天候により潅水の必要があり、その設備費及び維持費に多額のコストが必要となる。都市部ではヒートアイランド現象などの環境問題があり、高層ビルが立ち並ぶこれらビルの屋上を緑化することでヒートアイランド現象を少しでも緩和する狙いがある。東京都などの大都市圏では自然保護条例を改正して、一定規模以上のビル屋上の緑化を義務付けている。
【０００４】
特開２００２−１２５４５２号に係る「緑化構造物」は、建物にかかる緑化施設の荷重負担が小さく、風による倍土の飛散や緑化施設の破損の虞を少なくし、植物の手入れが簡単で屋上緑化に好適な緑化構造物であり、「空間部分に倍土が充填された繊維成形体、保水層、根域制限層、排水層及び遮水層が上から順に連設されて成る緑化構造物であり、繊維成形体が繊度を異にする２種以上の捲縮繊維から成る混合ウェブがランダム配列して積層された、厚さ方向の一方側に主として細繊度繊維ウェブ層が分布し、他方側に主として太繊度繊維ウェブ層が分布し、その間に連続的に密度勾配が形成され、かつ繊維同士の接点が接着固定された、太繊度繊維ウェブ層側を植生面として設置される繊維成形体であり、倍土が潅水によって膨潤する倍土としている。」
その他にも、特開２００２−１７１８２９号に係る「屋上緑化用資材及び屋上緑化システム」、特開２００２−０８４８８９号に係る「屋上緑化用の保水用パットと植生基盤及び屋上の緑化工法」、特開平７−２１３１５９号に係る「屋上の緑化用パネル及び屋上緑化方法」などが知られている。しかし、これら従来の工法は、その施工重量は決して軽いものではなく、しかも施工する場所が大きく左右される。
【特許文献１】特開２００２−１２５４５２号に係る「緑化構造物」
【特許文献２】特開２００２−１７１８２９号に係る「屋上緑化用資材及び屋上緑化システム」
【特許文献３】特開２００２−０８４８８９号に係る「屋上緑化用の保水用パットと植生基盤及び屋上の緑化工法」
【特許文献４】特開平７−２１３１５９号に係る「屋上の緑化用パネル及び屋上緑化方法」
【発明の開示】
【発明が解決しようとする課題】
【０００５】
このように、従来の屋上緑化には上記のごとき問題がある。本発明が解決しようとする課題はこれら問題点であり、建物に大きな負担を与えることなく、従来構造の建物であっても屋上緑化が可能な緑化システムの提供であり、そして緑化を手軽に行うことが出来るように植栽地盤を形成する繊維構造体、及び培養土を入れる方法並びに培養土を入れる装置を提供する。ただし、本発明は対象を屋上の緑化に限定するものではない。
【課題を解決するための手段】
【０００６】
本発明では植物が生育する為に必要な植栽地盤を手軽に作ることが出来るように、繊維構造体を使用している。この繊維構造体とは編物、織物、又は不織布からなる筒状の生地に培養土を充填して構成される。又生地の形状としては必ずしも筒状に限定されず、培養土を包み込んで収容可能な袋状ものであればよい。
【０００７】
上記培養土を充填した繊維構造体を植栽地盤として植物を生育させることが出来るが、培養土の中に種子を混入して発芽させる場合、又はある程度生育した植物苗を植栽することも可能である。植栽するには、繊維構造体の一部に穴を開けて植物の苗を植付ける。上記種子の場合には培養土に混合する場合に限らず、繊維構造体の一部に穴を開けて種子を蒔くことも出来る。
【発明の効果】
【０００８】
生地には培養土が充填されて繊維構造体が構成される。従って、通気性及び通水性に優れるために、カビが発生することはなく、又根腐れを防止することが出来る。そして、培養土を充填した繊維構造体を所定の場所に設置するだけで植栽地盤を形成することが出来るためにその施工は簡単であり、勿論、施工費は従来工法に比較して格段に低くなる。更に、植物を生育させるに必要な最小限の植栽地盤が形成されることで、屋上に施工してもその重量は軽くて大きな負担がかからない。
【０００９】
又、筒状生地であるならば、中に培養土を充填した繊維構造体の形状は自由に変えることが可能である。すなわち、渦巻き状に捲くことで円形植栽地盤を形成することも出来、ジグザグ状に配列することで角型植栽地盤とすることも可能である。そして、繊維構造体は生地が培養土の表面を被覆した状態にあるために、風の強いビルの屋上に設置しても培養土が周囲に飛散することもない。
【実施例】
【００１０】
図１は筒状生地に培養土を充填したもので、正面図と断面図を表している。該培養土１は筒状生地２に充填され、その長さＬは約７．２ｍ、外径Ｄは約７ｃｍと成っている。ここで、培養土１の成分は特に限定せず市販されているものが使用され、又生地２の素材や組織は自由である。
【００１１】
例えば、太さ１６５デシテックス４８フィラメントのポリエステル長繊維の仮撚加工糸を、釜径３吋×２４ゲージ丸編機を使用して、天竺組織にて編立てした目付１３７ｇ／ｍ2の筒状生地に、市販されている培養土を充填した繊維構造体を構成することが出来る。
【００１２】
図２は本発明に係る繊維構造体を渦巻状に巻き付けて形成した植栽地盤を表している。この植栽地盤の形成には前記図１に示した長さＬが約７．２ｍ、外径Ｄが約７ｃｍの繊維構造体が使用され、外径は約０．７５ｍで面積は約０．４５ｍ2の大きさとなる。このように形成される植栽地盤の所々に穴を開けて植物の苗を植付けることで、苗は大きく生育する。勿論、水は時々当てることは必要であるが、本発明の繊維構造体が過度に乾燥して給水を頻繁に必要とすることはない。繊維構造体は細長い形状と成っているが、植栽地盤として形成する場合には、ある程度の大きな面積となる為に、過度の乾燥は防止される。
【００１３】
図３は長さＬが約７．２ｍ、外径Ｄが約７ｃｍの繊維構造体をジグザグ状に配置した植栽地盤形態であり、横寸法が約０．５ｍ、縦寸法が０．９ｍの長方形を成し、その面積は図２の植栽地盤とほぼ同じく約０．４５ｍ2となる。このように、本発明に係る繊維構造体は設置する場所に応じて、又は任意に色々な形状の植栽地盤を形成することが出来る。
【００１４】
図４は植栽地盤を形成する繊維構造体の上面に穴３を開けて植物４を植付けた場合を示している。繊維構造体の筒状生地は所定の箇所を加熱することで任意の大きさの穴３を簡単に開けることが出来る。勿論、ハサミなどの道具を使用して裁断することも自由である。
【００１５】
ところで、筒状生地に定められた培養土を充填して繊維構造体とする場合、培養土の充填方法には色々あるが、本発明では効率よく培養土を筒状生地に詰める方法を採用している。その方法とは、筒型アダプターを使用し、該筒型アダプターに培養土を入れ、これを筒状生地へ移す方法である。
【００１６】
図５は筒型アダプター５を使用して筒状生地２に培養土１を詰める工程を示す具体例である。筒状生地２は筒型アダプター５に取付けられ、すなわち、筒型アダプター５が筒状生地２の穴に嵌った状態で取付けられ、先端は紐６で結ばれて口が閉じている。(ａ)は筒型アダプター５に筒状生地２をセットした状態を示し、その後、(ｂ)に示すように筒型アダプター５の上端口７から培養土を入れる。
【００１７】
該培養土は筒型アダプター５に収容され、(ｃ)に示しているように、取付けられている筒状生地２の先端を引っ張って筒型アダプター５から抜き取るならば、筒状生地２には培養土が落ち込んで詰められる。筒型アダプター５には一定量の培養土が収容されていて、(ｄ)に示すように所定の長さの筒状生地２は培養土にて充填されて本発明の繊維構造体となる。
【００１８】
一杯に詰まった筒状生地２の後方端は、先端と同じく紐で結ばれる。ここで、筒型アダプター５の太さは筒状生地２が取付けられる大きさと成っている為に、上端口７から培養土を入れる作業は面倒であると同時に、上手く入らなくて外へ零れ落ちる場合が多い。そこで、本発明では筒状生地２に培養土を充填するための装置として、図６に示すものを使用することが出来る。
【００１９】
同図に示す培養土の充填装置は、４本の脚８，８・・にて支持されたホッパー９を有し、該ホッパー９の下端には上記筒型アダプター５がネジ止めにて取着されている。従って、大きなホッパー９に培養土を入れるならば、該培養土は全て筒型アダプター５へ流れ落ち、筒型アダプター５に取り付けてある筒状生地２を引き抜くと同時に培養土は筒状生地２に詰まる。
【図面の簡単な説明】
【００２０】
【図１】培養土を充填した繊維構造体。
【図２】繊維構造体を渦巻き状に捲いた植栽地盤。
【図３】繊維構造体をジグザグ状に形成した植栽地盤。
【図４】植栽地盤に植物を植え付けした場合。
【図５】筒状生地に培養土を充填する方法。
【図６】筒状生地に培養土を充填する装置。
【符号の説明】
【００２１】
１  培養土
２  筒状生地
３  穴
４  植物
５  筒型アダプター
６  紐
７  上端口
８  脚
９  ホッパー
【図１】
2005110590.tif 000003
【図２】
2005110590.tif 000004
【図３】
2005110590.tif 000005
【図４】
2005110590.tif 000006
【図５】
2005110590.tif 000007
【図６】
2005110590.tif 000008